Podtech/llm-jp-corpus-v4-ja_patent huggingface dataset:
(57)【要約】【課題】都市計画上及び建築計画上要求される各種条件を満足させることが期待できる建築物の二重構造を提供すること。【解決手段】マンションや団地などの建築物の二重構造であって、横断面視して、同心状に配置し且つ相似関係にある内周部及び外周部でもって構成し、前記内周部と外周部との間を居住空間とし、前記内周部の内側を中空空間としたことを特徴とする。【選択図】図１
0003166714.tif 000002
【実用新案登録請求の範囲】
【請求項１】
マンションや団地などの建築物の二重構造であって、
横断面視して、
同心状に配置し且つ相似関係にある内周部及び外周部でもって構成し、
前記内周部と外周部との間を居住空間とし、
前記内周部の内側を中空空間としたこと、
を特徴とする、建築物の二重構造。
【請求項２】
居住空間を分割する仕切り部をさらに設けたことを特徴とする、請求項１に記載の建築物の二重構造。
【請求項３】
前記内周部、外周部及び仕切り部のうち、少なくとも何れか一つをトラス構造で形成したことを特徴とする、請求項２に記載の建築物の二重構造。
【考案の詳細な説明】
【技術分野】
【０００１】
本考案は、マンションや団地などの建築物の二重構造に関する。
【背景技術】
【０００２】
マンションや団地などの外形には、タワー形状や矩形状、Ｌ字形状など、種々の形状が採用されている。
【０００３】
上記の形状は、都市計画上や建築計画上の各種条件を満足するように適宜選択される。
【０００４】
都市計画上の条件としては、法規上の条件（敷地面積、建築面積、容積率）、環境上の条件（日照時間、省エネルギー対策）などがある。
また、建築計画上の条件としては、使用計画上、構造計画上、設備計画上などの条件がある。
【考案の概要】
【考案が解決しようとする課題】
【０００５】
本考案は、上記各種の条件を満足することのできるマンションや団地などの建築物の二重構造を提供することを目的とするものである。
【課題を解決するための手段】
【０００６】
上記目的を達成すべくなされた本考案は、マンションや団地などの建築物の二重構造であって、横断面視して、同心状に配置し且つ相似関係にある内周部及び外周部でもって構成し、前記内周部と外周部との間の空間を居住空間とし、前記内周部の内側を中空空間としたことを特徴とする、建築物の二重構造を提供するものである。
また、前記考案において、居住空間を分割する仕切り部をさらに設けてもよい。
また、前記考案において、前記内周部、外周部及び仕切り部のうち、少なくとも何れか一つをトラス構造で形成してもよい。
【考案の効果】
【０００７】
本考案によれば、各居住空間を中央の中空空間に通気可能に繋ぐことにより、通気性を向上させて、夏期の暑さや湿度を低減し、居住性を向上させることができる。また、本考案に係る構造は、住宅、ホテル、病院などにも使用することができる。また、本考案に係る構造は、全天候型であり耐火性、耐震性、耐水性に優れる。
【図面の簡単な説明】
【０００８】
【図１】本考案の建築物の二重構造例を示す概略断面図。
【図２】図１に係る構造の具体例を示す概略図。
【図３】図１に係る構造の構法例を示す概略正面図。
【図４】本考案の建築物の配置例を示す図。
【考案を実施するための形態】
【０００９】
以下、図面を参照しながら本考案の実施の形態について説明する。
【実施例】
【００１０】
＜１＞全体構成
図１に本考案の建築物の二重構造の一例例を示す。
本考案の建築物とは、マンションや団地などを指す。
当該建築物の二重構造は、横断面視したときに、同心状に配置し且つ相似関係にある内周部及び外周部でもって構成する。
本実施例では、建築物Ａが同心状に配置した二重の円筒からなり、内側の円筒を内周部１とし、外側の円筒を外周部２として構成する。
内周部１又は外周部２は、間隔を設けて配置した複数の内柱１１又は外柱２１によって構成し、それぞれの柱の間には、トラス構造等を採用することができる。
前記内周部１１を構成する内側の円筒の内側は中空空間Ａ１とし、吹き抜け状に構成する。
上記吹き抜け部分には、斜路や螺旋階段などを設けることができる。
前記内周部１と外周部２との間は、居住空間Ａ２とし、通路や居室その他の施設を設けるべく床や壁を適宜形成する。
前記居住空間Ａ２をさらに分割する仕切り部３は、内柱１１と外柱２１との間を繋ぐことによって形成し、当該柱の間にもトラス構造を採用することができる。
【００１１】
図２に、図１に係る構造の具体例を示す。
外柱２１には、内部にアングル２１１を配置し、周囲に帯筋２１２を巻いてコンクリートを打設することにより形成したプレキャストの部材を用いることができる。
同様に、梁４及び壁梁５についても、内部にチャンネルを配置し、周囲に帯筋を巻いてコンクリートを打設することにより形成したプレキャストの部材を用いることができる。
壁６は縦断面してＬ字型の部材を用い、梁４又は壁梁５に周知の方法で取り付ける。
スラブ７は、梁４の上部に設けたスタッド４１を介して所定の場所に取り付ける。
【００１２】
＜２＞構法
本考案に係る建築物の構築手順について、図３を参照しながら説明する。
まず、内柱１１及び外柱２１、並びに梁４，外梁５を適宜配置し、筒部Ａ３を構築する。各梁材並びに柱材はピン結合によって構築する。
そして、筒部の上部にトラス構造（図示せず）の屋根Ａ４を構築する。
次に、内柱１１の下端部を除去し、外柱２１を介して基礎８に荷重がかかるよう構成する。
【００１３】
＜３＞配置例
図４に、本考案の建築物の配置例を示す。
図４では、平面視して矩形状の敷地Ｂに対し、中央部と四隅の計５箇所に、本考案の建築物Ａを配置してある。当該配置例によれば、前記都市計画上及び建築計画上要求される各種条件を満足させることが期待できる。
また、本考案に係る建築物は、住宅、ホテル、病院などのあらゆる建物に応用が可能である。
【００１４】
＜４＞その他の実施例
なお、本考案における内周部１１及び外周部１２の形状は、円形に限定されるものではなく、三角形、四角形などの多角形、楕円形、その他の公知形状が含まれる。
また、スラブを、上面に凹部を形成したプラスチック製の部材に置き換えることにより、当該凹部を植生し、立体型の温室として使用することもできる。
【符号の説明】
【００１５】
１    内周部
１１  内柱
２    外周部
２１  外柱
３    仕切り部
４    梁
５    壁梁
６    壁
７    スラブ
Ａ    建築物
Ｂ    敷地
【図１】
0003166714.tif 000003
【図２】
0003166714.tif 000004
【図３】
0003166714.tif 000005
【図４】
0003166714.tif 000006
(57)【要約】      （修正有）【課題】手指にはめ込んで、自在に歯ブラシを操作する手指歯ブラシを提供する。【解決手段】サック状体の歯ブラシ部４とそのサック状体の開口部縁５にループ状の固定紐２の端部３及び端部３’を、サック状体の開口部縁５に対向して２か所形成して取り付ける。これにより、使用者の手指の大小に関係無く、又磨く動作のズレが生じにくいものとなり、特にサック状体の開口部縁に２か所ループ状の固定紐の端部を設けている事で、２か所に荷重が分散されるようになり、固定紐が切れにくい耐久性の良いものとなる。また、サック状体の歯ブラシ部が歯の磨く違う位置においてもまんべんなく当たるため、耐磨耗性にも優れた手指歯ブラシとなる。【選択図】図１
0003166767.tif 000002
【実用新案登録請求の範囲】
【請求項１】
手指にはめ込んで、自在に歯ブラシを操作する手指歯ブラシ（１）であって、サック状体の歯ブラシ部（４）とそのサック状体の開口部縁（５）にループ状の固定紐（２）の端部（３）及び端部（３’）が、サック状体の開口部縁（５）に対向して２か所形成して取り付けた事を特徴とする手指歯ブラシ（１）。
【請求項２】
前記サック状体の歯ブラシ部（４）及びループ状の固定紐（２）が、ゴム系材料から形成される事を特徴とする請求項１に記載の手指歯ブラシ（１）。
【請求項３】
前記ループ状の固定紐（２）の端部が、一体形成の手段によりサック状体の開口部縁（５）に形成される事を特徴とする請求項２に記載の手指歯ブラシ（１）
【考案の詳細な説明】
【技術分野】
【０００１】  本考案は、手指歯ブラシに関し、犬や猫等の動物又は歯ブラシを持ちずらい人に適した手指歯ブラシに関するものである。
【背景技術】
【０００２】  従来、食後等に用いられる歯ブラシは、手で握るグリップとグリップの先端にブラシが植毛されて構成されている。【０００３】  一方で他人や動物の歯磨きの際には前記グリップを握る通常の歯ブラシでは不向きなため、指に取り付けて使用する手指歯ブラシが種々提案されている。
【先行技術文献】
【０００４】
【特許文献１】  特開２００５−２５３８７２号公報
【特許文献２】  実用新案登録第３６４１８５３号
【考案の概要】
【０００５】  しかしながら上記特許文献１に示された指歯ブラシは、両端が開口したリング状又は一端が開口したサック状の指入れ部となっており、その際、指からの脱落防止のため指入れ部に取り付けた面ファスナーを巻きつけて固定していたが、使用者の手指の大きさの個人差や磨く動作によりズレるため、脱落してしまう問題があった。
【０００６】  一方の特許文献２に示された洗浄用指サックは、サック部に抜け出し防止用の紐をサック開口部に１か所でループ状の伸縮性の紐を取り付けて構成されているが、磨いている際にサック開口部１か所に取り付けている部位が、常に握りしめる荷重により、切れやすく、サックの歯ブラシとして磨く位置も同じ部位ばかりが当たり易くなるため、早く磨耗してしまうという問題点があった。
【問題を解決するための手段】
【０００７】  上記課題を解決するために本考案は、手指にはめ込んで、自在に歯ブラシを操作する手指歯ブラシ（１）であって、サック状体の歯ブラシ部（４）とそのサック状体の開口部縁（５）にループ状の固定紐（２）の端部（３）及び端部（３’）が、サック状体の開口部縁（５）に対向して２か所形成して取り付けている。
本考案は以上のような構成からなる手指歯ブラシである。
【考案の効果】
【０００８】  本考案の手指歯ブラシは以上のような構成であるため、使用者の手指の大きさに関係なく使用出来、又、磨く動作のズレが生じにくい優れたものとなる。
【０００９】  特にサック状体の開口部縁にループ状の固定紐の端部を該開口部縁に対向して２か所形成して取り付けるため、上記特許文献２に示された該開口部に１か所形成した場合と比較しても開口部縁に２か所に荷重が分散されるため、切れにくい耐久性の良いものとなり、更にはサック状体の歯ブラシ部が歯の磨く違う位置においても、まんべんなく当たるため耐磨耗性にも優れている。
【００１０】  更に、サック状体の開口部縁に対向した離れた位置からループ状に固定紐が形成されているため、例えば人差し指にサック状体の歯ブラシ部をはめ込んだ場合、他の中指、薬指、小指で紐を握ることとなり、その際にこれらの指をスムーズにループ状に通して保持出来るものとなる。
【図面の簡単な説明】
【００１１】
【図１】本考案の一実施例を示す斜視図である。
【図２】本考案の一実施例を示す斜視図である。
【考案を実施するための形態】
【００１２】  本考案における手指歯ブラシの大きさ、デザイン、材質、製造方法は特に限定されてない。
【００１３】  サック状体の歯ブラシ部は指一本を挿入出来る大きさであれば良くそのサック状体の開口部縁にループ状の固定紐が該開口部縁に対向して２か所で形成されており、特にゴム系材料で一体形成されるものが生産性やコストの面から好ましい。
以下、実施例と図に基づき説明する。
【実施例】
【００１４】  以下、本考案の一実施例を図１及び図２で説明するがこれによって本考案は何ら限定されるものではない。【００１５】  図１は、本考案の一例の斜視図である。サック状体の歯ブラシ部（４）とその指を挿入する開口部縁（５）にゴム材料から一体成形の手段でループ状の固定紐（２）の端部（３）及び端部（３’）が該開口部縁（５）に対向して２か所形成されている。【００１６】  図２は、図１の本考案の手指歯ブラシ（１）を使用する際の一例を示しており、人指し指をサック状体の歯ブラシ部（４）に挿入し、他の中指、薬指、小指でループ状の固定紐（２）を握りしめてサック状体の歯ブラシ部（４）が前後左右に動く事を示している。もちろんループ状の固定紐（２）に薬指等を絡めて更に外れないようにしても良い。
【産業上の利用の可能性】
【００１７】  ループ状の固定紐を握りしめたり、指に絡める事で、使用者の手指の大きさに関係なく、磨く動作のズレが生じにくい手指歯ブラシとなる。
【００１８】  特にループ状の固定紐の端部をサック状体の開口部縁に対向して２か所形成して取り付けているため、磨く動作による荷重が２か所に分散されるようになり、固定紐が切れにくい耐久性のあるものとなり、更にはサック状体の歯ブラシ部が歯の磨く違う位置においてそれぞれまんべんなく当たるため、耐磨耗性に優れた手指歯ブラシとなる。
【００１９】  又、ループ状の固定紐の端部が、一体成形の手段によりサック状体の開口部縁に形成されるものは、生産性やコストの面でも優れたものとなる。
【符号の説明】
【００２０】１    手指歯ブラシ    ２  ループ状の固定紐    ３、３’  端部
４    サック状体の歯ブラシ部  ５    サック状体の開口部縁
【図１】
0003166767.tif 000003
【図２】
0003166767.tif 000004
(57)【要約】      （修正有）【課題】捕獲した獣の足が折れるのを防ぎ、かつ傾斜部に設置できる獣捕獲用具を提供する。【解決手段】獣捕獲用具は、第１の棒と、第２の棒の終端を組み合わせてなるＶ字状の揺動機構の第１の棒の先端側に取付けられた踏み板と、第２の棒の先端側に取付けられた踏み板と相対する踏み板と同型の第１のリングと、リングの円周部に刻設した溝と、同溝を経由してリング内に挿入された固縛具と、第１の棒と第２の棒に取付けられたばね部材と、固縛具に連結された緊張部材とからなる。【選択図】図１
0003166766.tif 000002
【実用新案登録請求の範囲】
【請求項１】
第１の棒と、第２の棒の終端を組み合わせてなるＶ字状の揺動機構の前記第１の棒の先端側に着脱可能に装着される踏み板と、同踏み板に取付けた留め・切離し機構と、前記第２の棒の先端側に取付けられた前記踏み板と相対する前記踏み板と同型の第１のリングと、前記リングの円周部に刻設した溝と、同溝を経由して前記リング内に挿入された固縛具と、前記第１の棒と第２の捧の回動部に取付けられたＶ字状のばね部材と、前記固縛具に連結された緊張部材とからなることを特徴とする獣捕獲用具。
【請求項２】
上記固縛具がワイヤー環、若しくは、第２のリングからなり、かつ、前記固縛具は固縛力調整機構が設けれていることを特徴とする請求項１に記載の獣捕獲用具。
【請求項３】
上記第１のリングに設置角度調整具を取付けたことを特徴とする請求項１乃至請求項２に記載の獣捕獲用具。
【考案の詳細な説明】
【背景技術】
【０００１】  本考案は、獣捕獲用具に関するものでる。
【背景技術】
【０００２】  従来の獣捕獲用具は，踏み板の下の止め金や支え棒が外れ、ワイヤーが作動して扉が閉まるという不具合があった。
【先行技術文献】
【特許文献】
【特許文献】  実用新案登録第３１３４５７３号登録公報
【考案の概要】
【考案が解決しようとする課題】
【０００３】  踏み板の下の止め金や，支え棒の小道具は、サビついたり、雨や雪で故障し機能を果たさないこともある。従って、簡潔に踏み板の上に固縛具（ワイヤーやリング）を乗せることにより、前述の欠点を解決しようとするものである。また、捕獲した獣の足が折れるなどの不具合がある。更に、獣捕獲用具は傾斜部には設置し難い不具合があった。
【課題を解決するための手段】
【０００４】  本考案に係る獣捕獲用具は、第１の棒と、第２の棒の終端を組み合わせてなるＶ字状の揺動機構の前記第１の棒の先端側に着脱可能に装着される踏み板と、同踏み板に取付けた留め・切離し機構と、前記第２の棒の先端側に取付けられた前記踏み板と相対する前記踏み板と同型の第１のリングと、前記リングの円周部に刻設した溝と、同溝を経由して前記リング内に挿入された固縛具と、前記第１の棒と第２の棒の回動部に取付けられたＶ字状のばね部材と、前記固縛具に連結された緊張部材とからなることを特徴とする獣捕獲用具で、かつ、固縛具がワイヤー環、若しくは、第２のリングからなり、前記固縛具は固縛力調整機構を設けてた。加えて、第１のリングに設置角度調整具を取付けた。
【考案の効果】
【０００５】  本考案の獣捕獲用具は、踏み板の上に獲物が乗ると、踏み板が下に反転しワイヤーやリングを引っ張り、固縛具が閉まるという簡便な方法で、更に、固縛具は固縛力調整機構を設けて、捕獲した獣の足が折れるなどの不具合を解消すると共に、設置角度調整具を取付け、獣捕獲用具を傾斜部にも設置出来るようにした。
【図面の簡単な説明】
【０００６】
【図１】  本考案に係る獣捕獲用具の１実施例を示す斜視図である。
【図２】  図１の平面図である。
【図３】  本考案に係る獣捕獲用具の他実施例を示す斜視図である。
【図４】  図３の平面図である。
【考案を実施するための形態】
【０００７】  本考案に係る獣捕獲用具の具体的な実施例につき、図１から図４を参照して以下説明する。
【実施例１】
【０００８】図１と図２は、本考案に係る獣捕獲用具の１実施例を示す説明図で、獣捕獲用具は、第１の棒１と、第２の棒２の終端を組み合わせてなるＶ字状の揺動機構３の第１の棒１の先端側に着脱可能に装着される踏み板４と、同踏み板４に取付けた留め１２ａと、切離し機構１２ｂと、第２の棒２の先端側に取付けられた踏み板４と、相対する踏み板４と同型の第１のリング５と、同リング５の円周部に刻設した溝６と、同溝６を経由してリング５内に挿入された固縛具のリング７ａと、第１の棒１と第２の棒２の回動部に取付けられたＶ字状のばね部材８と、固縛具のリング７ａに連結された緊張部材１３とからなる獣捕獲用具である。本実施例では、第１のリング５の円周部に刻設した溝６に挿入した固縛具のリング７ａは、踏み板４の上に獲物が乗ると、踏み板４に取付けた留め１２ａと、切離し機構１２ｂが作動し、緊張部材（ワイヤーやスプリングなど）１３が連動して、固縛具のリング７ａが閉まるが、第１のリング５の刻設溝６の無い円周部に当接し、獣の足が折れない程度の間隙を有する機構になっている。図２中の符号１１は、ばね部材８の反発調整ねじを示している。
【実施例２】
【０００９】  次に、本考案に係る獣捕獲用具の他実施例を、図３と図４に従って説明する。本実施例が前記実施例と異なる点は、第１のリング５の円周部に刻設した溝６に挿入する固縛具を、ワイヤー環７ｂとし、踏み板４の上に獲物が乗ると、踏み板４に取付けた留め１２ａと、切離し機構１２ｂが作動し、緊張部材（ワイヤーやスプリングなど）１３が連動して、固縛具のワイヤー環７ｂが閉まるが、ワイヤー環７ｂに複数の固縛調整ゴムリング１０（本事例では４個）を挿入したので、複数の固縛調整ゴムリング１０が獣の足に当接し、獣の足が折れない機構としたことである。
更に、第１のリング５に設置角度調整具９（本事例では、逆Ｖ型クイ）を取付け、獣捕獲用具を傾斜部にも設置出来るようにした。
【産業上の利用可能性】
【００１０】  本考案は、イノシシのみならず、穴熊やたぬきなどの獣捕獲用罠としても有用である。
【符号の説明】
【００１１】  １  第１の棒
２  第２の棒
３  Ｖ字状の揺動機構
４  踏み板
５  第１のリング
６  第１のリング円周部に刻設した溝
７ａ  リング（固縛具）
７ｂ  ワイヤー環（固縛具）
８  ばね部材（Ｌ型スプリング）
９  設置角度調整具（逆Ｖ型クイ）
１０  固縛具の固縛調整ゴムリング
１１  ばね部材の反発調整ねじ
１２ａ  留め機構（踏み板に取付け）
１２ｂ  切離し機構（踏み板に取付け）
１３  緊張部材（ワイヤーやスプリングなど）
【図１】
0003166766.tif 000003
【図２】
0003166766.tif 000004
【図３】
0003166766.tif 000005
【図４】
0003166766.tif 000006
(57)【要約】      （修正有）【課題】タイヤの汚れを防止できる保護カバーを提供する。【解決手段】車椅子のタイヤを被覆する保護カバーであって、中央部がビニール材で長尺状の帯体からなり、中央部の長手方向の両側に細幅のゴム材からなる側面部が一体化して設けられ、保護カバーは短尺方向断面が湾曲して形成され車輪タイヤに密着被覆し、保護カバーの長手方向の先端と後端は面ファスナーが設けられ、面ファスナーで保護カバーをタイヤ外周に巻きつけて装着してなる。【選択図】図２
0003166765.tif 000002
【実用新案登録請求の範囲】
【請求項１】
車椅子のタイヤを被覆する保護カバーであって、中央部がビニール材で長尺状の帯体からなり、中央部の長手方向の両側に細幅のゴム材からなる側面部が一体化して設けられ、保護カバーは短尺方向断面が湾曲して形状され車輪タイヤに密着被覆し、保護カバーの長手方向の先端と後端は面ファスナーが設けられ、面ファスナーで保護カバーをタイヤ外周に巻きつけて装着してなるタイヤの保護カバー。
【考案の詳細な説明】
【技術分野】
【０００１】本考案は、他人の家などに車椅子で上がる時、車椅子のタイヤに付着した泥などの汚れが他人の家の中で畳や床に付かないようにする為の車椅子のタイヤのカバーに関する物である
【背景技術】
【０００２】従来、車椅子で他人の家に上がる場合、一回一回車椅子のタイヤを拭かなければならなかった。
【考案の概要】
【考案が解決しようとする課題】
【０００３】その為に、次のような問題点があった。
他人の家などに行くと、車椅子のタイヤが泥などで汚れたまま家の中へ上がることが出来ないので、タイヤの表面を拭くかなければならず手間がかかる。
本考案はこれらの問題点を解決するためになされたものである。
【課題を解決するための手段】
【０００４】車椅子のタイヤのカバーは、中央部がビニール材で長尺状の帯体からなり、中央部の長手方向の両側に細幅のゴム材からなる側面部を設ける。カバーの長手方向の先端と後端に面フスナー設け、カバーをタイヤの外周に巻きつけて装着した後に、面ファスナーでカバーの先端と後端を留める。
【考案の効果】
【０００５】車椅子の車輪のタイヤに本考案のカバーを装着することにより、タイヤの表面に付いた泥などの汚れがカバーで被覆される。このために、車椅子で他人の家を訪問した時に、その車椅子のタイヤに本考案を装着するだけで、車椅子のまま家の中の畳や床に上がることができる。従来のように、タイヤをその都度拭いて汚れえお落とす必要がなく、清潔である。タイヤのカバーの装着や取り外しは簡単にできる。
【図面の簡単な説明】
【０００６】
【図１】本考案の正面図
【図２】本考案の使用状態を示す斜視図
【考案を実施するための形態】
【０００７】イ、車椅子の車輪のタイヤに被せるカバーであって、カバーは中央部（１）がビニール材で長尺状の帯体からなり、カバーの幅はタイヤの外周と同じである。
ロ、中央部（１）両側の長手方向に中央部より細幅のゴム材からなる側面部（２）を設ける。
ハ、カバーの長手方向の先端と後端に面ファスナー（３）の雌片と雄片を設け、カバーをタイヤ（４）の外周に巻きつけて装着した後に、面ファスナー（３）でカバーの先端と後端を留める。
本考案は以上の構造であり、本カバーは、車椅子が２輪の場合、あるいは４輪の場合もそれぞれのタイヤに装着できる。
【符号の説明】
【０００８】  １、中央部
２、側面部
３、面ファスナー
【図１】
0003166765.tif 000003
【図２】
0003166765.tif 000004
(57)【要約】      （修正有）【課題】両軸リールを竿の下部に取り付けて、竿の安定性と操作性を向上させるリール用リテーナを提供する。【解決手段】リール用リテーナ１０上部に、竿の下方に装着するための竿受部１と、この竿受部１から下方向に垂下する脚部２と、この脚部２につながり竿受部１の竿先と逆側に湾曲して、Ｃ字状をなすリールリテーナ３と、このリールリテーナ３の下部において、竿先方向に延設される。リールシート取り付け部４と、この取り付け部４の上に取り付けられたリールシート５からなる。【選択図】図１
0003166732.tif 000002
【実用新案登録請求の範囲】
【請求項１】
リール用リテーナーは、リール用リテーナーを竿に付けたリールシートで取り付ける形状部分、リール用リテーナーを指の間にはさんで、竿との一体感を有する形状部分、両軸リールの糸を押さえられる形状部分、両軸リールを取り付けられる形状部分から成り立っている。このような機能を有する範囲を実用新案とする。
【考案の詳細な説明】
【技術分野】
【０００１】
本考案は、スピンニングリールと竿の組み合わせ時に伴う操作性を、両軸リール使用時に生かせるように考案した、竿と両軸リールをつなぐ保持具（以降リール用リテーナーと称する）に関するものである。
【背景技術】
【０００２】
両軸リールは、竿の上部（重力方向とは逆の方向、すなわち空側ということ）に取り付けて使用されている。そのため、両軸リールを竿に取り付けた状態では、両軸リールの重み、両軸リールのかかる力により、両軸リールの支えに相当の力を要している。他方、竿の上下作業にもそれなりの力を要している。
【０００３】
そこで、両軸リールを竿の下部（地面側）に取り付けるため、竿とのつなぎをなすリール用リテーナーを考案する。
【先行技術文献】
【特許文献】
【０００４】
【特許文献１】なし
【非特許文献】
【０００５】
【非特許文献１】なし
【考案の概要】
【考案が解決しようとする課題】
【０００６】
両軸リールを竿の下部にける状態で安定性を確保する。両軸リールを装着した竿の操作性を向上させる。
【課題を解決するための手段】
【０００７】
両軸リールと竿をつなぐために、両者の間にリール用リテーナーを装着する。
【考案の効果】
【０００８】
リール用リテーナーの使用により、スピニングリールと竿の組み合わせ時の操作性と同等になり、両軸リール使用時においてもその操作の安定性、軽い力での操作性を実現できる。また、所有している両軸リールの資産を活用できる。
【図面の簡単な説明】
【０００９】
【図１】図１はリール用リテーナーの実施例を示す説明図である。
【考案を実施するための形態】
【００１０】
両軸リールを竿の下方に装着するため、両者をつなぐリール用リテーナーを実現させる。
【実施例】
【００１１】
以下、添付図面１に従って一実施例を説明する。１はリール用リテーナー、２は両軸リール、３はリールシート、４は竿である。リール用リテーナーと竿の取り付け、両軸リールとの取り付けは、リールシート等で行う。
【符号の説明】
【００１２】
１  リール用リテーナー
２  両軸リール
３  リールシート
４  竿
【図１】
0003166732.tif 000003
【手続補正書】
【提出日】平成22年9月2日(2010.9.2)
【手続補正１】
【補正対象書類名】実用新案登録請求の範囲
【補正対象項目名】請求項１
【補正方法】変更
【補正の内容】
【請求項１】
リール用リテーナー１上部の上方向に延びた先端部１ａより前後配置された取り付け脚部１ｂが竿４のリール取付け金具によって取付けられる形状部分、リール用リテーナー１の上方向に延びた先端部１ａを指の間に挟んで取り付け脚部１ｂと竿４を共に掌握することにより、スピニングリールを持つような竿との一体感を有する形状部分、リールリテーナー１に両軸リール２を取付ける位置は両軸リール２の上と後方向にリールリテーナー１までの間、隙間を設けて、両軸リール２の糸２ａの出し入れ操作できるよう親指がはいる形状部分、リールリテーナー１に両軸リール２が竿方向に取付けられるリールシート３から成り立っている。
【手続補正２】
【補正対象書類名】明細書
【補正対象項目名】０００９
【補正方法】変更
【補正の内容】
【０００９】
【図１】リール２、竿４を除く形状部分が本考案を示す図である。
【図２】リール用リテーナーの竿に取りつける形状部分を示す図である。
【図３】リール用リテーナーの掌握方法を示す図である。
【図４】両軸リールの糸を指で押さえる様子を示す図である。
【図５】リール用リテーナーに両軸リールを取り付けるリールシートを示す図である。
【手続補正３】
【補正対象書類名】図面
【補正対象項目名】全図
【補正方法】変更
【補正の内容】
【図１】
0003166732.tif 000004
【図２】
0003166732.tif 000005
【図３】
0003166732.tif 000006
【図４】
0003166732.tif 000007
【図５】
0003166732.tif 000008
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
リール用リテーナ（１０）上部に、竿の下方に装着するための竿受部（１）と、この竿受部（１）から下方向に垂下する脚部（２）と、この脚部（２）につながり竿受部（１）の竿先と逆側に湾曲して、Ｃ字状をなすリールリテーナ（３）と、このリールリテーナ（３）の下部は、竿先方向に延設され、リールシート取り付け部（４）と、この取り付け部（４）の上に取り付けたリールシート（５）からなることを特徴とするリール用リテーナ（１０）。
【手続補正２】
【補正対象書類名】図面
【補正対象項目名】図１
【補正方法】変更
【補正の内容】
【図１】
0003166732.tif 000009
【手続補正３】
【補正対象書類名】図面
【補正対象項目名】図２
【補正方法】削除
【補正の内容】
【手続補正４】
【補正対象書類名】図面
【補正対象項目名】図３
【補正方法】削除
【補正の内容】
【手続補正５】
【補正対象書類名】図面
【補正対象項目名】図４
【補正方法】削除
【補正の内容】
【手続補正６】
【補正対象書類名】図面
【補正対象項目名】図５
【補正方法】削除
【補正の内容】
【手続補正７】
【補正対象書類名】明細書
【補正対象項目名】０００９
【補正方法】変更
【補正の内容】
【０００９】
【図１】本考案の実施例を示す説明図である。
【手続補正８】
【補正対象書類名】明細書
【補正対象項目名】００１１
【補正方法】変更
【補正の内容】
【００１１】  以下、添付図面に従い実施例を説明する。リール用リテーナ（１０）を竿（６）に取り付け、両軸リール（７）を、リール用リテーナ（１０）に取り付ける。取り付けは、リールシート（５）で行う。
【手続補正９】
【補正対象書類名】明細書
【補正対象項目名】００１２
【補正方法】変更
【補正の内容】
【００１２】  １  竿受部
２  脚部
３  リールリテーナ
４  リールシート取り付け部
５  リールシート
６  竿
７  両軸リール
１０  リール用リテーナ
(57)【要約】      （修正有）【課題】きのこ類の品質保持、保存性を向上する保存用容器を提供する。【解決手段】きのこ類の保存に窒素を含有する窒素氷を用い、その有効性保持のためにきのこ類を収容する容器・袋を選択、改善した。しいたけ、まいたけ、たもぎたけなどのきのこ類は、採取後の品質変化が多く真空包装などを行っているが、その効果は低く３日から８日程度にすぎない。本構成で保存すれば７日から３０日の長期間保存も可能である。【選択図】図２
0003166734.tif 000002
【実用新案登録請求の範囲】
【請求項１】
窒素を含有する窒素氷８をきのこ類の保存に使用する際に、窒素氷８を窒素透過性の良い容器、袋５に収容し、それを窒素保持能力の高い材質で構成したきのこ類７を処理保存するきのこ品質保持用処理箱・袋１に封入、保存するきのこ類保存用容器・袋。
【考案の詳細な説明】
【技術分野】
【０００１】  国際特許分類Ａ０１Ｆ  ２５／００  農業または園芸生産物の貯蔵に関する。
【背景技術】
【０００２】しいたけ、まいたけ、たもぎたけなどのきのこ類は採取後の変質、変色などがあり、その対策がもとめられている。
【先行技術文献】
【０００３】
【特許文献１】特開２００７−２２５１２７
【考案の概要】
【考案が解決しようとする課題】
【０００４】しいたけ、まいたけ、たもぎたけなど、きのこ類の変質の防止。
【課題を解決するための手段】
【０００５】しいたけ、まいたけ、たもぎたけなどきのこ類を採取後保存に窒素氷を使用するが、窒素のこ効果が長期有効を保つ効果的成分で構成された容器・袋を使用して保存性を向上する。
【考案の効果】
【０００６】しいたけ、まいたけ、たもぎたけなどのきのこ類は、採取後の品質変化が多く真空包装などを行っているが、その効果は低く３日から８日程度にすぎない。本考案の構成で保存すれば７日から３０日の長期間保存も可能である。
【図面の簡単な説明】
【０００７】
【図１】本考案の立体斜視図である。
【図２】本考案の立体斜視断面図である。
【図３】本考案の平面図である。
【考案を実施するための形態】
【０００８】本考案は、品質保持に使用する窒素氷の有効性保持の構成である。そのために実施例に示す構成を主体とする。
【実施例】
【０００９】本考案を図により説明する。図中１は本考案を実施する際の１形態であって、図中１はきのこ品室保持用処理箱、２は着脱しうる蓋、３は窒素氷保持箱、４は着脱しうる蓋の上部、５は窒素氷収容容器、６はきのこ類保持用網部、７はきのこ、８は容器に収容された窒素氷を示す。【００１０】窒素氷８を窒素透過性の良いポリオレフィン樹脂製容器５に収容して密封する。保存するきのこ６を品質保持用箱１内の保持用網部６に展開し密閉保存する。【００１１】窒素氷ときのこ類との作用は、窒素氷に含有する窒素の量きのこの品種などによることは当然で、栽培条件によっても異なる。【００１２】さらに、構成の必須条件として、きのこ品質保持用処理箱１が窒素透過性の少ない部品、例えば容器が箱でなく袋の場合、塩化ビニリデン樹脂やアルミニウムラミネート樹脂を成分として使用すればきのこ類の品質保存に有効である。
【産業上の利用可能性】
【００１３】本考案は、窒素氷が意外にきのこ類の品質保持に有効であることを見出したことが、きのこ業界の利用を増進させるもので、産業上の価値は大きい。
【符号の説明】
【００１４】１          きのこ品質保持用処理箱
２          着脱しうる蓋
３          窒素氷保持箱
４          着脱しうる箱の上部
５          窒素氷収容容器
６          きのこ類保持用網
７          きのこ
８          容器に収容された窒素水
【図１】
0003166734.tif 000003
【図２】
0003166734.tif 000004
【図３】
0003166734.tif 000005
【手続補正書】
【提出日】平成22年11月25日(2010.11.25)
【手続補正１】
【補正対象書類名】明細書
【補正対象項目名】全文
【補正方法】変更
【補正の内容】
【考案の詳細な説明】
【技術分野】
【０００１】農業又は園芸作物の貯蔵に関する。
【背景技術】
【０００２】しいたけ、まいたけ、たもぎたけなどのきのこ類は、採取後に変質があり、保存期間が短く、その改善が必要である。
【先行技術文献】
【０００３】［特開２００７−２２５１２７］
【考案の概要】
【考案が解決しようとする課題】
【０００４】しいたけ。まいたけ、たもぎたけなどきのこ類の変質防止。
【課題を解決するための手段】
【０００５】窒素を含有する氷を窒素を放散するが氷の成分である水分を透過しないポリエチレンなどの容器に収容し、その容器をしいたけ、まいたけ、たもぎたけなどのきのこ類とともに、さらに大きい窒素を透過しにくい塩化ビニリデンなどの容器に収容し、密閉する、化学的性質が異なる容器を二重に使用するきのこ保存容器の開発。
【考案の効果】
【０００６】本容器に収納したきのこは、品質の変化が少なく、保存期間が延長できる。
【図面の簡単な説明】
【０００７】
【図１】本考案の立体斜視図である。
【図２】本考案の立体斜視断面図である。
【図３】本考案の平面図である。
【考案を実施するための形態】
【０００８】きのこを収容する容器を窒素透過性が異なる容器に収納して、きのこに作用する窒素の作用を延長させる二重構造を特徴とする。
【実施例】
【０００９】図中１はきのこ品質保持用容器、２は着脱しうる蓋、３は窒素を含有する氷保持箱、４は着脱しうる蓋の上部、５は窒素を含む氷の収容容器、６はきのこ類保持用網、７はきのこ、８は容器に収容された窒素を含有する氷である。【００１０】窒素を含有する氷８をポリエチレン容器５に収容して密封する。そのポリエチレン容器をより大きい品質保持用容器１の中に収容する。本考案の要点は、この二重構造であって、このポリエチレン容器５とともにきのこ７をあみ６に展開、し、ポリエチレン容器５から放散する窒素の作用を受容させる構造である。
【産業上の利用可能性】
【００１１】窒素がきのこの品質保持に有効なことを考案者が発見したことが本考案の基本であり、業界の販路拡大に利用される。
【符号の説明】
【００１２】１        品質保持用容器２        着脱しうる蓋３        窒素を含有する氷保持箱４        着脱しうる蓋の上部５        窒素を含む氷の収容容器６        きのこ類保持用網７        きのこ８        窒素を含有する氷
【手続補正２】
【補正対象書類名】実用新案登録請求の範囲
【補正対象項目名】全文
【補正方法】変更
【補正の内容】
【実用新案登録請求の範囲】
【請求項１】
きのこを採取した後で保存する際の容器の構造で、まず窒素を含有する氷を窒素透過性が大きいポリエチレン容器などに収容し、その容器をきのこと共により体積が大きく窒素透過性が少ない化学組成の塩化ビニリデン容器などに収納出来る様に構成した窒素を含有する氷の二重構造容器。
(57)【要約】      （修正有）【課題】装着する事により、強度があり、削る・掬う・均すなどが容易にできる様になる除雪用具取り付け刃を提供する。【解決手段】スノーダンプの様な除雪用具の先端部に連続した山形の刃先と取り付け金具により挟む形で取り付ける。軽量合金を使用した刃先を取り付ける事で軽量化を計り重い雪や硬い雪も思い通りに掬う事や削る事が出来て体への負担を軽減する。また適当な厚みで強度を確保する事により丈夫で壊れづらくなる等、性能が改善された除雪用具取り付け刃とすることができる。【選択図】図１
0003166739.tif 000002
【実用新案登録請求の範囲】
【請求項１】
従来の除雪用具の先端部に山形の刃先を取り付け、重い雪や硬い雪も思い通りに掬うことができ、また、軽量合金を使用し無駄な部分を切り落とすことで軽量化し、適当な厚みで強度を確保した、除雪用具取り付け刃。
【考案の詳細な説明】
【技術分野】
【０００１】本考案は、降雪時に使用される除雪用具の先端に付ける、刃先が山形の取り付け刃に関するものである。
【背景技術】
【０００２】降雪時において人員で除雪の際は、除雪用具（スノーダンプ、スコップ・スノープッシャー等）で行っている。【０００３】
【特許文献】公開番号  特許公開  ２００４−０２７７８６
登録実用新案第３０７５７２４号
【考案の開示】
【考案が解決しようとする課題】
【０００４】現在、降雪時において、人員で除雪の際は、除雪用具（スノーダンプ、スコップ、スノープッシャー等）で行っている。
一般的な除雪用具を使っている事から先端部が弱く、一度解けて再度冷えにより固まった際の除雪作業は、道具が壊れるなどのトラブルがおき作業がままならない。
軽量で丈夫な軽金属の取り付け刃を一般的な除雪用具装着することにより前述の欠点を解決しようと言うものである。
【課題を解決するための手段】
【０００５】本考案は、取り付け刃を装着する事により硬い雪、重い雪でも壊れる事無く作業ができる。除雪しようとする道路、駐車場、その他の凹凸を削ることもでき、除雪から平に仕上げる作業まで断続的に作業ができる。
従来の除雪用具に取り付け刃を付ける事により問題点を解決する。
【考案の効果】
【０００６】上記の様に、本考案の除雪用具取り付け刃は、氷や硬雪を削る刃先形状で、従来の除雪用具を補助し、硬い雪や氷も削ることができる上、軽金属の使用により軽量で丈夫な除雪用具になる。
雪質を選ばない為、作業範囲が広がり人的負担を軽減し、短時間での除雪作業が可能になる。
【考案を実施するための最良の形態】
【０００７】刃先に三角形の鋭利な突起部を持つ刃先形状でフレームに取り付ける為、力が刃先に伝わり易く、氷や硬雪を捉え易く、斜めの部分で削る等、大きな効果が得られる。従来の除雪用具に装着することにより、雪質を選ばず作業をすることができ、削り・排雪・均す等１つの道具で色々な作業が可能になる。
【実施例】
【０００８】以下、実施例は添付図面に沿って説明する。
１の刃先部は、山形の突起部が硬雪や氷を捉え、斜めの部分で削る形状である。２は、取り付け刃をフレームとボディーに取り付ける事により強度を保つ。
以上の構造で、材料に軽金属を使用することで軽さを重視し、適切な厚さにより強度を持たせている。
【産業上の利用可能性】
【０００９】従来の除雪用具が、１本で複数の用途を持つ除雪用具に変わる為、雪国での利用価値は高く、一般から、営業施設の除雪まで広範囲の普及が考えられる。
【図面の簡単な説明】
【００１０】
【図１】本考案、除雪用具取り付け刃の平面図及び実施例を示す全体図である。
【符号の説明】
【００１１】１  取り付け刃
２  取り付け金具
３  全体図
【図１】
0003166739.tif 000003
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
スノーダンプの様な除雪用具の先端部に連続した山形の刃先と取り付け金具により挟む形で取り付ける
軽量合金を使用した刃先を取り付ける事で軽量化を計り重い雪や硬い雪も思い通りに掬う事や削る事が出来きて体への負担を軽減する
また適当な厚みで強度を確保する事により丈夫で壊れづらくなる等、性能が改善される除雪用具取り付け刃である
(57)【要約】      （修正有）【課題】球と糸の接続が容易で、球から糸が外れない衝突球実験器を提供する。【解決手段】球の直径より短い長さで輪切りにした熱収縮チューブの上部に糸を通す。球をこの熱収縮チューブの中に入れてから熱を加えると熱収縮チューブが収縮し、球と熱収縮チューブが密着する。これにより、熱収縮チューブを介して球と糸を接続し、球をつり下げる。【選択図】図１
0003166731.tif 000002
【実用新案登録請求の範囲】
【請求項１】
球と糸の接続に熱収縮チューブを使用することを特徴とする衝突球実験器。
【考案の詳細な説明】
【技術分野】
【０００１】  この考案は、衝突球実験器の球と糸の接続に関する。
【背景技術】
【０００２】  従来の衝突球実験器は、図３に示すように、接着剤等を用いて、球と糸を接続したものである。
【考案の概要】
【考案が解決しようとする課題】
【０００３】  しかしながら、以上の技術によれば、球と糸の接続は接着剤が乾くまで時間がかかり、また外部からの力や球に働く重力により、球から糸が外れた。
そこで、この考案は、球と糸の接続が容易で、球から糸が外れない衝突球実験器を提供することを課題とする。
【課題を解決するための手段】
【０００４】  以上の課題を解決するために、第１考案は、球と糸の接続に熱収縮チューブを使用することを特徴とする衝突球実験器である。
【考案の効果】
【０００５】  第１考案によれば、球と糸の接続に熱収縮チューブを使用することで、球と糸の接続が容易で、球から糸が外れなくなる。
【図面の簡単な説明】
【０００６】
【図１】この考案の一実施形態を示す断面図である。
【図２】この考案の一実施形態を示す側面図である。
【図３】従来技術を示す正面図である。
【考案を実施するための形態】
【０００７】  この考案の一実施形態を、図１に示す。
衝突球実験器の球１はガラス製、または金属製であり、球１の直径より短い長さで輪切りにした熱収縮チューブ２で上下方向に被う。熱収縮チューブ２に熱を加えることで球１と熱収縮チューブ２が密着する。熱収縮チューブ２の上部には、穴を２つ開け、この穴に糸３を通してある。
【０００８】「実施形態の効果」
この実施形態によれば、熱収縮チューブ２により、球１と糸３が接続してあるので、球１から糸３が外れない。
【符号の説明】
【０００９】１  球          ２  熱収縮チューブ
３  糸          ４  接着剤
【図１】
0003166731.tif 000003
【図２】
0003166731.tif 000004
【図３】
0003166731.tif 000005
【手続補正書】
【提出日】平成22年8月13日(2010.8.13)
【手続補正１】
【補正対象書類名】実用新案登録請求の範囲
【補正対象項目名】全文
【補正方法】変更
【補正の内容】
【実用新案登録請求の範囲】
【請求項１】
球の直径より短い長さで輪切りにした熱収縮チューブの上部に糸を通す。球をこの熱収縮チューブの中に入れてから熱を加えると熱収縮チューブが収縮し、球と熱収縮チューブが密着する。これにより、熱収縮チューブを介して球と糸を接続し、球をつり下げる衝突球実験器。
【手続補正２】
【補正対象書類名】明細書
【補正対象項目名】全文
【補正方法】変更
【補正の内容】
【考案の詳細な説明】
【技術分野】
【０００１】  この考案は、衝突球実験器の球と糸の接続に関する。
【背景技術】
【０００２】  従来の衝突球実験器は、図３に示すように、接着剤を用いて、球と糸を接続したものである。
【考案の概要】
【考案が解決しようとする課題】
【０００３】  しかしながら、以上の技術によれば、球と糸の接続は接着剤が乾くまで時間がかかり、また外部からの力や球に働く重力により、球が容易に糸から外れた。  そこで、この考案は、球と糸の接続が容易で、球から糸が外れない衝突球実験器を提供することを課題とする。
【課題を解決するための手段】
【０００４】  以上の課題を解決するために、第１考案は、球の直径より短い長さで輪切りにした熱収縮チューブの上部に糸を通す。球をこの熱収縮チューブの中に入れてから熱を加えると熱収縮チューブが収縮し、球と熱収縮チューブが密着する。これにより、熱収縮チューブを介して球と糸を接続し、球をつり下げることを特徴とする衝突球実験器球である。
【考案の効果】
【０００５】  第１考案によれば、球と糸の接続に熱収縮チューブを使用することで、球と糸の接続が容易で、球から糸が外れなくなる。
【図面の簡単な説明】
【０００６】
【図１】この考案の一実施形態を示す断面図である。
【図２】この考案の一実施形態を示す側面図である。
【図３】従来技術の一実施形態を示す断面図である。
【図４】衝突球実験器の一実施形態を示す斜視図である。
【考案を実施するための形態】
【０００７】  この考案の一実施形態を、図１に示す。  衝突球実験器の球１はガラス製、または金属製であり、球１の直径より短い長さで輪切りにした熱収縮チューブ２で上下方向に被う。熱収縮チューブ２に熱を加えることで球１と熱収縮チューブ２が密着する。熱収縮チューブ２の上部に糸３を通す。
【０００８】「実施形態の効果」  この実施形態によれば、熱収縮チューブ２により、球１と糸３が接続してあるので、球１から糸３が外れない。
【符号の説明】
【０００９】１  球          ２  熱収縮チュープ３  糸          ４  接着剤
【手続補正３】
【補正対象書類名】図面
【補正対象項目名】全図
【補正方法】変更
【補正の内容】
【図１】
0003166731.tif 000006
【図２】
0003166731.tif 000007
【図３】
0003166731.tif 000008
【図４】
0003166731.tif 000009
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
球の直径より短い長さで輪切りにした熱収縮チューブの上部に糸を通し、球をこの熱収縮チューブの中に入れてから熱を加えて熱収縮チューブを収縮させることで球と熱収縮チューブを密着させ、熱収縮チューブを介して球と糸を接続する方法で球をつり下げる衝突球実験器。
(57)【要約】      （修正有）【課題】履き物を本体のみで地面に対して垂直に立てておくことにより、履き物への埃や汚れの付着などを減らし、また、洗浄や乾燥などの作業を簡便にしその所要時間も削減することができる履物を提供する。【解決手段】履き物のつま先または踵およびその両方の部分に平面を設ける。また更には、履き物のつま先または踵およびその両方の部分に穴を設けても良く、更には、踵の部分に平面を設けた踝にも接する足の甲の部分と踵の部分を繋ぐ帯状のものを設けても良い。【選択図】図２
0003166733.tif 000002
【実用新案登録請求の範囲】
【請求項１】
つま先または踵、およびその両方の部分に、本体を地面に対して垂直に立てておくための平面を設けたことを特徴とする履き物。
【請求項２】
請求項１記載の履き物において、本体の洗浄や乾燥を容易にするために更に、穴を設けたことを特徴とする履き物。
【請求項３】
請求項１記載の履き物において、本体を地面に対して垂直に立てておくために更に、踵の部分に平面を設けた踝にも接する足の甲の部分と踵の部分を繋ぐ帯状のものを設けたことを特徴とする履き物。
【考案の詳細な説明】
【技術分野】
【０００１】この考案は履き物に関する。
【背景技術】
【０００２】履き物の形状は一般的にはつま先または踵およびその両方の部分が、足の形状に合わせて丸味をおびた形状となっている。
また、上記の形状において更に、つま先または踵およびその両方の部分に穴の開いていないものも多い。【０００３】このようにつま先または踵およびその両方の部分に丸味をおびた形状では、履き物本体を地面に対して垂直に立てておいておくことは難しい。そのため、室内外に一定の時間履き物をおいておくと埃や汚れが付着しやすく、また本体を洗浄や乾燥する場合にも別の用具等が必要であり、そのため洗浄や乾燥する場合などにも簡便さに欠ける。
【考案の概要】
【考案が解決しようとする課題】
【０００４】この考案は、履き物を別の用具を持っていなくとも又は壁にかけることなく、本体のみで地面に垂直に立てておくことができ、履き物を室内外に一定の時間おいておく場合にも埃や汚れの付着を減らす効果があり、また履き物本体の洗浄や乾燥を行う場合にも、その所要時間や水源などの削減や節約ができるという効果もあることを課題とする。
【課題を解決するための手段】
【０００５】本実用新案に係る立てておける履き物は、つま先または踵およびその両方の部分に、本体を地面と垂直に立てておくための平面を設け、また更につま先または踵およびその両方の部分に穴を設けることも手段とする。
上記の記載において、更に、踵の部分に平面を設けた踝にも接する足の甲の部分と踵の部分を繋ぐ帯状のものを設けることも手段とする。
【図面の簡単な説明】
【０００６】
【図１】平面図
【図２】断面図
【図１】
0003166733.tif 000003
【図２】
0003166733.tif 000004
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
つま先または踵、およびその両方の部分に、本体を地面に対して垂直に立てておくために、履き物の底の部分に垂直な平面部材を設けたことを特徴とする履き物。
【請求項２】
請求項１記載の履き物において、本体の洗浄や乾燥を容易にするために更に、０００５のつま先または踵およびその両方の部分に穴を設けたことを特徴とする履き物。
【請求項３】
請求項１記載の履き物において、本体を地面に対して垂直に立てておくために更に、踵の部分に平面部材を設けた踝にも接する足の甲の部分と踵の部分を繋ぐ帯状のものを設けたことを特徴とする履き物。
【手続補正書】
【提出日】平成22年12月17日(2010.12.17)
【手続補正１】
【補正対象書類名】実用新案登録請求の範囲
【補正対象項目名】請求項２
【補正方法】変更
【補正の内容】
【請求項２】
請求項１記載の履き物において、本体の洗浄や乾燥を容易にするために更に、つま先または踵およびその両方の部分に穴を設けたことを特徴とする履き物。
(57)【要約】      （修正有）【課題】靴下内側の履く側の部分に文字を書ける靴下を提供する。【解決手段】靴下内側の履く側の部分にその靴下と同一の生地で、靴下の生地よりも色の薄い生地をつける。【選択図】図１
0003166737.tif 000002
【実用新案登録請求の範囲】
【請求項１】
靴下内側の履く側の部分にその靴下と同一で薄めの生地をつけて、そこに文字などを書き込める靴下。
【考案の詳細な説明】
【技術分野】
【０００１】靴下内側の履く側の部分に文字を書けるようにする
【背景技術】
【０００２】従来靴下に書かれた文字は外側から見えるものでした
【考案の概要】
【考案が解決しようとする課題】
【０００３】靴下の内側に文字が書けることを有する機能
【課題を解決するための手段】
【０００４】靴下内側の履く側の部分にその靴下と同一で薄い色（白色に近い）の生地を貼り、そこに文字などを書く
【考案の効果】
【０００５】靴下の内側のため自由にメッセージを書くことができる
【考案を実施するための最良の形態】
【０００６】靴下は伸びるので文字を書く生地は靴下と同じ生地で色の薄い生地を用い貼る。
【図面の簡単な説明】
【０００７】
【図１】靴下の外側と文字が書ける内側
【符号の説明】
【０００８】１  靴下の外側
２  靴下の内側に貼られた文字が書ける生地
【図１】
0003166737.tif 000003
【手続補正書】
【提出日】平成22年12月26日(2010.12.26)
【手続補正１】
【補正対象書類名】実用新案登録請求の範囲
【補正対象項目名】全文
【補正方法】変更
【補正の内容】
【実用新案登録請求の範囲】
【請求項１】
靴下内側の履く側の部分にその靴下と同一の生地で、靴下の生地よりも色の薄い生地をつけて、そこに文字などを書き込める靴下。